(57)【特許請求の範囲】
【請求項１】
オペレータが管理のための操作を行う端末にそれぞれデータ回線を介して接続された複数のネットワーク管理システムを管理する方法であって、
各ネットワーク管理システムが管理する管理情報のうち共通の情報を前記端末及びデータ回線を介して他のネットワーク管理システムへ流通させるネットワーク管理方法において、
ネットワーク管理システムの少なくとも１つは、複数のデータ転送装置及び各データ転送装置間のネットワークで構成されるネットワークを管理対象とする装置管理システムであり、
ネットワーク管理システムの少なくとも１つは、データ転送装置に収容されている加入者情報を管理対象とする加入者管理システムである
ことを特徴とするネットワーク管理方法。
【請求項２】
オペレータが管理のための操作を行う端末にデータ回線を介して接続されたネットワーク管理システムであって、
自身が管理する管理情報のうち他のネットワーク管理システムと共通する情報を前記端末及びデータ回線を介して他のネットワーク管理システムへ流通させる機能を備えたネットワーク管理システムにおいて、
データ転送装置に収容されている加入者情報を管理対象とする加入者管理システムである
ことを特徴とするネットワーク管理システム。
【発明の詳細な説明】
【０００１】
【発明の属する技術分野】
本発明は、複数のネットワーク管理システムを管理する方法、特に各システムに対する一元化された管理操作をオペレータに提供するネットワーク管理方法及びこれに用いるネットワーク管理システムに関するものである。
【０００２】
【従来の技術】
ネットワークを管理するネットワーク管理システムは、管理対象となる装置の種類やオペレータに提供する管理サービス等に応じて、複数のシステムが存在することがある。その場合においても、各ネットワーク管理システムは、可能な限り、それぞれにおける管理操作をオペレータに一元化して提供できることが望ましい。
【０００３】
従来の複数のネットワーク管理システムを管理する方法として、例えば特開平６−３４８６３１号公報に記載されたものがある。
【０００４】
この公報に記載されたネットワーク管理方法では、図４に示すように、複数の通信系装置及び各通信系装置間のネットワークのみで構成される通信系サブネットワーク１を管理対象とする通信系サブネットワーク管理システム２の構成情報と、複数のコンピュータ系装置及び各コンピュータ系装置間のネットワークのみで構成されるコンピュータ系サブネットワーク３を管理対象とするコンピュータ系サブネットワーク管理システム４の構成情報とを、統合ネットワーク管理システム５を用いて一元管理している。
【０００５】
統合ネットワーク管理システム５は、各サブネットワーク管理システム２，４が管理している構成情報から必要な情報をデータ通信により収集し、これらの構成情報の関連付けを、双方に共通した情報をキーとして自動的に行うことにより、オペレーション（管理操作）の入力定義の入力ミスを防止し、関連付け操作の工数削減を実現している。
【０００６】
【発明が解決しようとする課題】
上述した従来のネットワーク管理方法では、統合ネットワーク管理システムにより、各サブネットワーク管理システムが管理している構成情報を収集し、これら構成情報の関連付けを行っているが、統合ネットワーク管理システムとサブネットワーク管理システムの両方に構成情報が存在することになる。従って、構成情報収集時のデータ通信失敗等により、統合ネットワーク管理システムが収集した構成情報とサブネットワーク管理システムが管理している構成情報との間で内容の不整合が発生し、オペレーションにおける定義誤りが発生するという問題点があった。
【０００７】
本発明の目的は、複数のネットワーク管理システムに対する管理操作を、データ不整合を発生させることなく一元化してオペレータに提供し得るネットワーク管理方法及びこれに用いるネットワーク管理システムを提供することにある。
【０００８】
【課題を解決するための手段】
本発明では、オペレータが管理のための操作を行う端末にそれぞれデータ回線を介して接続された複数のネットワーク管理システムを管理する方法において、各ネットワーク管理システムが管理する管理情報のうち共通の情報を前記端末及びデータ回線を介して他のネットワーク管理システムへ流通させることにより、従来のような統合ネットワーク管理システムを不要とし、管理情報が複数箇所に存在することに起因するデータ不整合を防止した一元的な管理操作を提供する。
【０００９】
また、各ネットワーク管理システムは、端末から操作を受けた際、各ネットワーク管理システムが管理する管理情報のうち共通の情報を他のネットワーク管理システムに転送するための命令文を作成し、これをデータ回線を介して端末へ送信し、端末及びデータ回線を介して他のネットワーク管理システムからの情報を受信することにより、端末からの各ネットワーク管理システムに対するオペレーションと同時に前記共通情報を各ネットワーク管理システム間で流通させ、オペレーションの入力定義の入力ミスを防止し、関連付け操作の工数削減を実現する。
【００１０】
【発明の実施の形態】
次に、本発明の実施の形態について図面を参照して詳細に説明する。
【００１１】
図１は、本発明の実施の形態の一例を示すネットワークシステム全体のブロック図である。
【００１２】
このネットワークシステムは、複数のデータ転送装置及びこれらのデータ転送装置間のネットワークで構成されるネットワーク１０と、ネットワーク１０を管理対象とするネットワーク管理システム（装置管理システム）２０と、データ転送装置に収容されている加入者情報３０と、加入者情報３０を管理対象とするネットワーク管理システム（加入者管理システム）４０と、これらの管理システム２０，４０に対するオペレーションを行う端末５０と、装置管理システム２０と端末５０とを結ぶデータ回線６０と、加入者管理システム４０と端末５０とを結ぶデータ回線７０とを具備している。
【００１３】
図２は、装置管理システムの詳細構成を示すブロック図である。
【００１４】
装置管理システム２０は、ネットワーク１０の状態を監視したり、ネットワーク１０の構成情報を取得したりする管理機能部２１と、データ回線６０を介して端末５０に情報を表示させるユーザインタフェース部２２とから構成されている。
【００１５】
さらに、ユーザインタフェース部２２は、ネットワーク１０の構成情報を表示する構成情報表示部２２１と、装置管理システム２０と加入者管理システム４０との間の共通情報を端末５０からデータ回線７０を介して加入者管理システム４０に送信する命令文を作成し、この命令文を端末５０に提供するデータ送信機能部２２２と、加入者管理システム４０のデータ送信機能部４２２によって端末５０からデータ回線６０を介して送信された共通情報を受信し、処理するデータ受信機能部２２３とを具備している。
【００１６】
図３は、加入者管理システムの詳細構成を示すブロック図である。
【００１７】
加入者管理システム４０は、加入者情報３０を管理したり、加入者情報３０の内容に基づいて収容設計を行ったりする管理機能部４１と、データ回線７０を介して端末５０に情報を表示させるユーザインタフェース部４２とから構成されている。
【００１８】
さらに、ユーザインタフェース部４２は、加入者情報３０の内容や収容設計の結果を表示する加入者情報表示部４２１と、装置管理システム２０と加入者管理システム４０との間の共通情報を端末５０からデータ回線６０を介して装置管理システム２０に送信する命令文を作成し、この命令文を端末５０に提供するデータ送信機能部４４２と、装置管理システム２０のデータ送信機能部２２２によって端末５０からデータ回線７０を介して送信された共通情報を受信し、処理するデータ受信機能部４２３とを具備している。
【００１９】
以下、前述の構成よりなる装置管理システム２０と加入者管理システム４０が連携するオペレーションの一例を説明する。ここでは、装置管理システム２０が管理しているデータ転送装置の一覧からデータ転送装置を１つ選択し、当該データ転送装置に収容される加入者の情報を設定するオペレーションについて説明する。
【００２０】
（１）まず、装置管理システム２０は、オペレータの操作により端末５０からデータ回線６０を介してネットワーク１０の構成情報を表示するよう命令を受ける。
【００２１】
（２）装置管理システム２０は、手順（１）で受けた構成情報表示命令により管理機能部２１において管理・収集しているネットワーク１０の構成情報をユーザインタフェース部２２の構成情報表示部２２１によりデータ回線６０を介して端末５０に表示するとともに、データ送信機能部２２２において装置管理システム２０と加入者管理システム４０との間の共通情報（例えば、被管理対象のデータ転送装置の名称やＩＰアドレス等）を端末５０からデータ回線７０を介して加入者管理システム４０に転送するための命令文を作成し、この命令文をデータ回線６０を介して端末５０に提供する。なお、この命令文は前記構成情報の一部として組み込まれ、端末５０に提供されるが、端末５０の画面上には表示されない。
【００２２】
（３）オペレータは、端末５０に表示されている装置管理システム２０が管理しているデータ転送装置の一覧から加入者を収容するデータ転送装置を選択し、データ回線７０を介して加入者管理システム４０に対し、加入者情報登録画面を表示するよう命令する。この時、手順（２）において装置管理システム２０から提供された命令文も同時に実行され、装置管理システム２０と加入者管理システム４０との間の共通情報がデータ回線７０を介して加入者管理システム４０に送信される。
【００２３】
（４）加入者管理システム４０は、手順（３）で受けた加入者情報登録画面の表示命令に従い、ユーザインタフェース部４２の加入者情報表示部４２１により当該データ転送装置に対する加入者情報登録画面を作成し、データ回線７０を介して端末５０に提供する。加入者情報登録画面には設定すべき加入者情報の項目一覧が表示される。この時、手順（３）において端末５０からデータ回線７０を介して送信された装置管理システム２０と加入者管理システム４０との間の共通情報はデータ受信機能部４２３により受信され、これが設定すべき加入者情報の一部として自動的に加入者情報登録画面に表示される。
【００２４】
（５）オペレータは、手順（４）で自動的に入力されている共通情報以外の設定すべき加入者情報を端末５０から入力し、データ回線７０を介して加入者管理システム４０に対し、加入者登録をするよう命令する。
【００２５】
（６）加入者管理システム４０は、手順（５）で受けた加入者登録命令により、手順（５）で設定された加入者情報及び管理機能部４１で管理している加入者情報の内容に基づいてネットワーク１０に対する収容設計を行い、加入者情報表示部４２１によりこの結果をデータ回線７０を介して端末５０に表示させるとともに、データ送信機能部４２２において収容設計の結果からデータ転送装置に設定すべき情報を端末５０からデータ回線６０を介して装置管理システム２０に送信するための命令文を作成し、この命令文をデータ回線７０を介して端末５０に提供する。なお、この命令文は前記収容設計の結果の一部として組み込まれ、端末５０に提供されるが、端末５０の画面上には表示されない。
【００２６】
（７）オペレータは、端末５０に表示されている収容設計結果を確認し、データ回線６０を介して装置管理システム２０に対し、この収容設計に基づいてデータ転送装置に設定を行うよう命令する。この時、手順（６）において加入者管理システム４０から提供された命令文も同時に実行され、データ転送装置に設定すべき情報がデータ回線６０を介して装置管理システム２０に送信される。
【００２７】
（８）装置管理システム２０は、手順（７）で受けたデータ転送装置への設定命令を受け、データ受信機能部２２３により手順（７）において端末５０からデータ回線６０を介して送信されたデータ転送装置に設定すべき情報を処理し、管理機能部２１において当該データ転送装置に対し設定を行い、この結果をデータ回線６０を介して端末５０に表示させる。
【００２８】
【発明の効果】
以上説明したように、本発明によれば、各ネットワーク管理システムに共通情報を端末を介して送信／受信する機能を組み込むことにより、管理情報が複数箇所に存在することによるデータ不整合を防ぐことができ、複数のネットワーク管理システムに対する一元的なオペレーションを可能とする効果が得られる。
【図面の簡単な説明】
【図１】本発明の実施の形態の一例を示すブロック図
【図２】装置管理システムの詳細を示すブロック図
【図３】加入者管理システムの詳細を示すブロック図
【図４】従来のネットワーク管理方法を説明する構成図
【符号の説明】
１０：ネットワーク、２０：装置管理システム、２１：管理機能部、２２：ユーザインタフェース部、２２１：構成情報表示部、２２２：データ送信機能部、２２３：データ受信機能部、３０：加入者情報、４０：加入者管理システム、４１：管理機能部、４２：ユーザインタフェース部、４２１：加入者情報表示部、４２２：データ送信機能部、４２３：データ受信機能部、５０：端末、６０，７０：データ回線。
【図１】
0003790173.tif 000002
【図２】
0003790173.tif 000003
【図３】
0003790173.tif 000004
【図４】
0003790173.tif 000005